(57)【要約】【課題】  手の届き難い場所に設置された復元力のあるスイッチ等の制御を、コストを抑えて手の届きやすい場所で行うようにできる線条部材の引張り固定具を提供する。【解決手段】  本線条部材の引張り固定具１は、一部が切欠きされた切欠部２１の両側に形成された２つの側端２６ａ、２６ｂを有すると共に引張り線条部材Ａが挿通する挿通孔２２を形成した周側壁２０と、周側壁２０によって囲まれる底部２３の中心に形成された突出軸２４と、を有する外枠体２と、突出軸２４に嵌合する中心孔４１を有し、且つ、外周面が周側壁２０の内周面の内側に隣接する外周壁４２を有すると共に外周壁４２から突出して設けた係止片４７が２つの側端２６ａ、２６ｂのうちの一方の側端２６ｂに当接した時に挿通孔２２と突出軸２４の中心を通る直線を越えた位置に引張り線条部材Ａの一端を固定する固定部４３を具備する回転自在な回転体４と、を具備してなるものである。【選択図】      図１
0003111197.tif 000002
【実用新案登録請求の範囲】
【請求項１】
一部が切欠きされた切欠部の両側に形成された２つの側端を有すると共に引張り線条部材が挿通する挿通孔を形成した周側壁と、該周側壁によって囲まれる底部の中心に内部に固定孔が形成された突出軸と、を有する外枠体と、
前記突出軸に嵌合する中心孔を有し、且つ、外周面が前記周側壁の内周面の内側に隣接する外周壁を有すると共に該外周壁から突出して設けた係止片が前記２つの側端のうちの一方の側端に当接した時に前記挿通孔と突出軸の中心を通る直線を越えた位置に前記引張り線条部材の一端を固定する固定部を具備する回転自在な回転体と、
を具備してなることを特徴とする線条部材の引張り固定具。
【請求項２】
前記回転体の上方に着脱自在な蓋体を設けたことを特徴とする請求項１記載の線条部材の引張り固定具。
【請求項３】
前記係止片の先端に手把部を設けたことを特徴とする請求項１又は２記載の線条部材の引張り固定具。
【考案の詳細な説明】
【技術分野】
【０００１】
本考案は、簡単な構成で廉価に作成可能な線条部材の引張り固定具に関する。
【背景技術】
【０００２】
天窓の開閉スイッチなどで手の届き難い場所に設置された復元力のあるスイッチ等がある場合に、そのスイッチ等のオン・オフの制御を行うには、例えば、脚立を用意する等の労力を必要とすることがあり、不便さを感じることがある。そこで、そのようなスイッチ等の制御を手の届きやすい場所で行うことができるように、電気工事により新たにスイッチ等を設置して不便さを解消することがある。
【考案の開示】
【考案が解決しようとする課題】
【０００３】
しかしながら、上記のように電気工事によりスイッチ等を手の届きやすい場所に設置するには、相当のコストがかかるという問題点があった。
【０００４】
本考案は、上記の課題に鑑みてなされたものであり、手の届き難い場所に設置された復元力のあるスイッチ等の制御を、コストを抑えて手の届きやすい場所で行うようにできる線条部材の引張り固定具を提供することを目的とする。
【課題を解決するための手段】
【０００５】
上記目的を達成するために、請求項１記載の線条部材の引張り固定具は、一部が切欠きされた切欠部の両側に形成された２つの側端を有すると共に引張り線条部材が挿通する挿通孔を形成した周側壁と、該周側壁によって囲まれる底部の中心に内部に固定孔が形成された突出軸と、を有する外枠体と、前記突出軸に嵌合する中心孔を有し、且つ、外周面が前記周側壁の内周面の内側に隣接する外周壁を有すると共に該外周壁から突出して設けた係止片が前記２つの側端のうちの一方の側端に当接した時に前記挿通孔と突出軸の中心を通る直線を越えた位置に前記引張り線条部材の一端を固定する固定部を具備する回転自在な回転体と、を具備してなることを特徴としている。
【０００６】
請求項２記載の線条部材の引張り固定具は、請求項１記載の線条部材の引張り固定具において、前記回転体の上方に着脱自在な蓋体を設けたことを特徴としている。
【０００７】
請求項３記載の線条部材の引張り固定具は、請求項１又は２記載の線条部材の引張り固定具において、前記係止片の先端に手把部を設けたことを特徴としている。
【考案の効果】
【０００８】
請求項１記載の線条部材の引張り固定具によれば、一部が切欠きされた切欠部の両側に形成された２つの側端を有すると共に引張り線条部材が挿通する挿通孔を形成した周側壁と、該周側壁によって囲まれる底部の中心に内部に固定孔が形成された突出軸と、を有する外枠体と、前記突出軸に嵌合する中心孔を有し、且つ、外周面が前記周側壁の内周面の内側に隣接する外周壁を有すると共に該外周壁から突出して設けた係止片が前記２つの側端のうちの一方の側端に当接した時に前記挿通孔と突出軸の中心を結ぶ線を越えた位置に前記引張り線条部材の一端を固定する固定部を具備する回転自在な回転体と、を具備してなるため、線条部材の引張り固定具は、簡単な構成により部材点数を抑えて廉価に作成できる。したがって、手の届き難い場所に設置された復元力のあるスイッチ等に線条部材の一端を固定するとともに他端を取り付けた線条部材の引張り固定具を手の届きやすい場所に設置することにより、そのスイッチ等のオン・オフの制御をコストを抑えて手の届きやすい場所で行うようにできる。
【０００９】
請求項２記載の線条部材の引張り固定具によれば、請求項１記載の線条部材の引張り固定具の効果に加えて、前記回転体の上方に着脱自在な蓋体を設けたため、回転体内部に埃等がたまりにくいという利点がある。
【００１０】
請求項３記載の線条部材の引張り固定具によれば、請求項１又は２記載の線条部材の引張り固定具の効果に加えて、前記係止片の先端に手把部を設けたため、手把部により容易に回転体を回転することができる。
【考案を実施するための最良の形態】
【００１１】
以下、本考案の実施の形態に係る線条部材の引張り固定具について図面に基づいて説明する。
本考案の線条部材の引張り固定具１は、図１及び図２に示すように、外枠体２、固定部材３、回転体４、蓋体５などから構成される。
【００１２】
外枠体２は、回転体４を内接するように円形に周側壁２０が配設された樹脂製部材であり、その周側壁２０の一部が回転体４が回転する角度に合わせて切欠きされた切欠部２１を有している。周側壁２０には、図外のスイッチ等により引張方向に付勢された釣り糸やワイヤなどからなる引張り線条部材Ａを挿通するための挿通孔２２が設けられている。また、周側壁２０によって囲まれる底部２３の中心には突出軸２４が突設されており、この突出軸２４の中心には固定孔２５が形成されている。この固定孔２５を介してねじ等の締着具により外枠体２を壁や柱等に固定することができる。
【００１３】
固定部材３は、円柱形状をしたアルミ製部材であり、引張り線条部材Ａの一端が固定されるものである。この固定部材３は、側面に貫通孔３０が穿設されており、その貫通孔３０に引張り線条部材Ａの一端が挿通され、引張り線条部材Ａの端部に結び目等を設けることにより固定部材３に引張り線条部材Ａの一端が固定される。
【００１４】
回転体４は、上端が開口した円形状の樹脂製部材であり、底面４０の中心に外枠体２に設けられた突出軸２４に嵌合する中心孔４１が設けられ、外周面が外枠体２の周側壁２０の内周面の内側に隣接する外周壁４２を有しており、外枠体２に対して回転自在に設置される。また、外周壁４２には、凹状の固定部４３が形成されており、固定部材３が該固定部４３に嵌合されることにより引張り線条部材Ａの一端が回転体４に固定される。固定部４３を形成する壁４４には、回転体４が回転する際に引張り線条部材Ａが壁４４に当たらないように切欠部４５が設けられている。また、外周壁４２にも回転体４が回転する際に引張り線条部材Ａが外周壁４２に当たらないように一部に切欠部４６が設けられている。
【００１５】
外周壁４２の外周面には、係止片４７が外周壁４２の外方へ突設され、その係止片４７の先端に回転体４を容易に回転できるように必要に応じて手把部４８が取り付けられている。回転体４を外枠体２に設置すると、係止片４７が外枠体２の周側壁２０に形成した切欠部２１の側端２６ａ又は２６ｂに当接することにより、回転体４の回転可能な角度が決定される。前記固定部４３は、係止片４７が一方の側端２６ｂに当接した時に挿通孔２２と突出軸２４の中心Ｏとを通る直線を超えた位置となるように引張り線条部材Ａの一端を固定する。なお、この直線を超える程度が大きくなる程安定して固定できるが、引張り線条部材Ａによる引張り距離が短くなる。逆に直線を超える程度が小さいと不安定となるが、引っ張り距離を長くすることができる。また、外周壁４２の上端には蓋体５を取り付けるための蓋固定用凹部４９が複数形成されている。
【００１６】
蓋体５は、回転体４の上端の開口を閉じる円盤状の樹脂製部材であり、下面に回転体４の上端に形成された蓋固定用凹部４９に嵌合する突起５０を有しており、その突起５０を回転体４の蓋固定用凹部４９に嵌合させることにより回転体４に着脱自在に取り付けられる。
【００１７】
次に、以上のように構成された線条部材の引張り固定具１の使用手順を説明する。具体例として、引張り線条部材Ａの他端に手の届き難い場所に設置された、例えば換気装置のスイッチ（不図示）が取り付けられている場合について説明する。このスイッチは、通常はオフ状態にあり、引張られるとオン状態になるものであるが、常時オフ状態に戻ろうとする復元力が働いているものである。なお、説明のため、図３（ａ）及び図３（ｂ）には蓋体５を図示しない。
【００１８】
まず、引張り線条部材Ａの他端を手の届き難い場所に設置された復元力のある図外のスイッチに取り付け、引張り線条部材Ａの一端を挿通孔２２に挿通してから固定部材３に取り付け、その固定部材３を回転体４の固定部４３に嵌合して回転体４に固定するとともに、図３（ａ）に示すように、係止片４７を挿通孔２２側の側端２６ａに当接させた状態で線条部材の引張り固定具１を例えば図外の柱に設置する。この線条部材の引張り固定具１の柱への固定は、外枠体２の固定孔２５にねじ等の締着具を螺着して行われる。あるいは、逆に、あらかじめ線条部材の引張り固定具１を柱に固定しておいてから、引張り線条部材Ａの一端を挿通孔２２に挿通してから固定部材３に取り付け、その固定部材３を回転体４の固定部４３に嵌合して回転体４に固定するとともに、係止片４７を挿通孔２２側の側端２６ａに当接させた状態になるよう引張り線条部材Ａの長さを調節して、引張り線条部材Ａの他端を図外のスイッチに取り付けてもよい。
【００１９】
このとき、引張り線条部材Ａはスイッチによる引張力によって緊張した状態で付勢されているので、係止片４７は側端２６ａに密着している。また、図示するように、挿通孔２２と突出軸２４の中心Ｏとを通る直線と、引張り線条部材Ａとがなす角度θ１はこの状態では最大となっていると共に、挿通孔２２から引張り線条部材Ａの固定部４３までの距離Ｌ１は最小となっている。
【００２０】
次いで、スイッチをオン状態にする場合、図３（ｂ）に示すように、係止片４７が挿通孔２２側と反対側の周側壁２０の側端２６ｂに当接するまで手把部４８を手でつかんで回転体４を図中イ方向で示す反時計回り方向に回転させる。そうすると、挿通孔２２と突出軸２４の中心Ｏとを通る直線を超えた位置に固定部４３は達するが、このとき、引張り線条部材Ａと前記直線とがなす角度θ２は、直線を境として前記θ１とは反対側の角度となる。また、このとき、挿通孔２２から引張り線条部材Ａの固定部４３までの距離Ｌ２はほぼ最大となっている。そして、引張り線条部材Ａの固定部４３が挿通孔２２と突出軸２４の中心Ｏとを通る直線を超えているため、回転体４は、引張り線条部材Ａに作用する引張力によって、図中イ方向で示す反時計回り方向に回転させられ、固定される。このとき、引張り線条部材Ａはスイッチがオフとなっている元の状態から（Ｌ２−Ｌ１）距離分だけ余分に引張られた状態となり、スイッチはオン状態で固定される。
【００２１】
再びスイッチをオフ状態にする場合は、手把部４８を手でつかんで係止片４７が挿通孔２２側の周側壁２０の側端２６ａに当接するまで回転体４を時計回り方向に回転させる。このとき、引張り線条部材Ａは引張られているため、固定４３の位置が挿通孔２２と突出軸２４の中心Ｏとを通る直線を再び超えると、回転体４に時計回りの力が作用して、回転体４は回転し、スイッチがオフ状態になる。
【００２２】
以上の説明から明らかなように、本考案の実施の形態に係る線条部材の引張り固定具１によれば、簡単な構成であるため、部材点数を抑えて廉価に作成することができる。また、引張り線条部材Ａを（Ｌ２−Ｌ１）距離分だけ引張った状態で固定できるため、引張り線条部材Ａの先に取り付けられたものも同様に（Ｌ２−Ｌ１）距離分だけ引張った状態で固定できる。そのため、例えば、手の届き難い場所に設置された復元力のあるスイッチに引張り線条部材Ａの他端を取り付けて一端を線条部材の引張り固定具１に取り付けて手の届きやすい場所に設置することにより、スイッチのオン・オフを手の届きやすい場所で制御できる。
【００２３】
なお、本考案は上記実施の形態に限定されるものではなく、本考案の要旨の範囲内で種々の変形実施が可能である。例えば、外枠体２、回転体４、及び蓋体５は、樹脂製としたが、金属製等他の材質のものであってもよい。また、スイッチのオン・オフの制御のみならず、一定寸法引張った状態で固定する必要があるものに適用することができる。
【図面の簡単な説明】
【００２４】
【図１】本考案の実施の形態に係る線条部材の引張り固定具の概略構成の一例を示す斜視図である。
【図２】線条部材の引張り固定具の構成を示す分解斜視図である。
【図３】蓋体を不図示とした状態における線条部材の引張り固定具の駆動を説明する平面図である。
【符号の説明】
【００２５】
１    線条部材の引張り固定具
２    外枠体
４    回転体
５    蓋体
２０    周側壁
２１    切欠部
２２    挿通孔
２３    底部
２４    突出軸
２５    固定孔
２６ａ    側端
２６ｂ    側端
４１    中心孔
４２    外周壁
４３    固定部
４７    係止片
４８    手把部
Ａ    引張り線条部材
Ｏ    突出軸の中心
【図１】
0003111197.tif 000003
【図２】
0003111197.tif 000004
【図３】
0003111197.tif 000005